(57)【特許請求の範囲】
【請求項１】
挿入部先端に形成された開口部を有した少なくとも２つ以上のチャンネルと、
手元操作部に設けられ、前記チャンネルにそれぞれ連結された少なくとも２つ以上の挿入口と、
前記２つ以上の挿入口に対してそれぞれ着脱自在に装着される２つ以上の鉗子栓部と、前記２つ以上の鉗子栓部を連結し、前記鉗子栓部を装着した前記２つ以上の挿入口を連通する連通路を形成した連結部とを有し、前記鉗子栓部と前記連結部とが一体の部材として構成され、この一体の部材が前記手元操作部に対して着脱自在な鉗子栓と、
を具備したことを特徴とする内視鏡。
【発明の詳細な説明】
【０００１】
【発明の属する技術分野】
本発明は２つ以上のチャンネルを有した内視鏡に関する。
【０００２】
【従来の技術】
従来から複数の鉗子チャンネルを設け、それぞれの鉗子チャンネルを吸引チャンネルとして使用する内視鏡が知られている。この種の内視鏡は各鉗子チャンネルの挿入口部が操作部付近で開口するとともに、鉗子チャンネルの中途部位に吸引チューブを接続して鉗子チャンネルを吸引チャンネルとして使用するようになっている。この場合、複数の鉗子チャンネルにそれぞれに分岐した吸引チューブを接続するようにすると、複数の吸引チューブとこれらに接続する吸引装置をそれぞれ設けなければならず、管路構成が複雑になると共に、内視鏡本体が大きくなってしまい、内視鏡の操作性を阻害することになってしまう。
【０００３】
そこで、内視鏡の小型化、及び管路構成の単純化の観点から、特公平１−４２２０６号公報の内視鏡では一つの鉗子チャンネルだけ、その中途部から分岐した一本の吸引チューブと吸引装置を持たせてこれを吸引源に接続していた。その結果、各鉗子チャンネルの挿入口部には口部間を連通する接続体とその連通を開閉する弁体を組み込む切換え装置を設け、操作体によって使い方に応じた鉗子チャンネルの切り換えを行うようしている。
【０００４】
【発明が解決しようとする課題】
以上の如く、吸引装置に接続される吸引チューブが一つの鉗子チャンネルのみに分岐して設けるようにすると、他方の鉗子チャンネルを通じての吸引を行うためにはその他方の鉗子チャンネルに吸引装置を選択的に接続する必要がある。このため、特公平１−４２２０６号公報のものでは複数の鉗子チャンネルを相互に連結するための選択的な接続装置とその切換え機構を内視鏡本体内に設けるようにしていた。
【０００５】
しかし、これらの接続装置と切換え機構はその構造がかなり複雑になり、コスト高であり、また、その接続口部付近の汚れの洗浄に多大な手間がかかるという欠点を有していた。
【０００６】
本発明は、前記課題に着目してなされたものであり、その目的とするところは、内視鏡本体内に設ける複数のチャンネルの管路構造をシンプルにすると共に、複数のチャンネルを連結する接続手段を着脱自在な鉗子栓に設けることによりそれが汚れたときには鉗子栓を交換し、それらを容易に洗滌や消毒することができ、さらに内視鏡本体自体を安価なものとすることができる内視鏡を提供することにある。
【０００７】
【課題を解決するための手段】
本発明は、挿入部先端に形成された開口部を有した少なくとも２つ以上のチャンネルと、手元操作部に設けられ、前記チャンネルにそれぞれ連結された少なくとも２つ以上の挿入口と、前記２つ以上の挿入口に対してそれぞれ着脱自在に装着される２つ以上の鉗子栓部と、前記２つ以上の鉗子栓部を連結し、前記鉗子栓部を装着した前記２つ以上の挿入口を連通する連通路を形成した連結部とを有し、前記鉗子栓部と前記連結部とが一体の部材として構成され、この一体の部材が前記手元操作部に対して着脱自在な鉗子栓とを具備したことを特徴とする内視鏡である。
【０００８】
【発明の実施の形態】
［第１の実施形態］
図１を参照して、本発明の第１の実施形態に係る内視鏡を説明する。
（構成）
内視鏡１は手元側操作部２に挿入部３とユニバーサルコード４を連結して内視鏡本体を構成して成る。挿入部３は基端側から順に可撓管、湾曲部及び先端部を連結して成る長尺なものであり、この挿入部３は生体内に挿入する部分となっている。湾曲部は操作部２においてのアングルノブを操作することにより湾曲させられ、先端部の向きを変えるものである。ユニバーサルコード４は可撓性チューブから形成され、この延出先端には内視鏡用光源装置に接続するコネクタ５が設けられている。コネクタ５にはライトガイド管６が設けられ、このライトガイド管６にはライトガイドの一端部分が内装されている。ライトガイドの他端側は内視鏡本体内を通じて挿入部３の先端に設けられた照明レンズまで導かれている。挿入部３の先端には観察用対物レンズ系が組み込まれている。観察用対物レンズ系は内視鏡本体内に配設されたイメージガイドを介して操作部２に設けられた接眼部７に接続されている。内視鏡本体内には送気チャンネルと送水チャンネルが組み込まれ、送気チャンネルと送水チャンネルの先端は挿入部３の先端に設けられたノズルにまとめて接続されている。さらに送気チャンネルと送水チャンネルはユニバーサルコード４のコネクタ５まで導かれ、それぞれ対応する送気源と送水源に個別的に接続されている。送気チャンネルと送水チャンネルの途中には送気送水切換え用制御弁が介挿され、送気送水釦８によりその送気送水切換え用制御弁を操作し、送気、送水、休止の各動作状態を切り換えるようになっている。
【０００９】
さらに、内視鏡１の内視鏡本体内には複数の吸引用チャンネルを兼ねた鉗子チャンネルが配設されている。ここでは２本の鉗子チャンネル１１，１２が手元側操作部２の途中部分から挿入部３の先端にわたって平行に並んで上下に配置されている。各鉗子チャンネル１１，１２の先端は挿入部３の先端において開口し、その開口部１３，１４はそれぞれの鉗子口を形成している。
【００１０】
鉗子チャンネル１１，１２の基端はそれぞれ手元側操作部２のグリップ部１５よりも先端側に位置して互いに隣接して設けられた２つの挿入口（鉗子挿入口）１６，１７に対して個別的に接続されている。ここで一方の鉗子チャンネル１１を第１の鉗子チャンネル１１と称し、他方の鉗子チャンネル１２を第２の鉗子チャンネル１２とも称することにする。
【００１１】
第２の鉗子チャンネル１２は第１の鉗子チャンネル１１の下側に位置するが、この第２の鉗子チャンネル１２の途中には吸引用チューブ１８が分岐するように接続されている。この分岐部は手元側操作部２内に位置する。吸引用チューブ１８の他端側は操作部２からユニバーサルコード４内を通じてコネクタ５に導かれ、そのコネクタ５に設けられた接続口１９に接続されている。接続口１９には吸引源２１に接続される吸引用接続チューブ２２の先端が接続されている。そして、これらによって、吸引源２１により接続チューブ２２及び吸引用チューブ１８を通じて第２の鉗子チャンネル１２内を吸引する吸引手段を構成している。
【００１２】
さらに、手元側操作部２内において、吸引用チューブ１８の途中には吸引制御弁２３が設けられ、吸引釦２４によりその吸引制御弁２３を操作し、吸引用チューブ１８の開通、遮断して吸引の動作と休止を選択するようになっている。
【００１３】
第１の鉗子チャンネル１１の挿入口１６と第２の鉗子チャンネル１２の挿入口１７は比較的近接して並べて配置されており、この第１の挿入口１６と第２の挿入口１７の両部分にはゴム等の弾性材料で成形されて一体に作られた鉗子栓２５が着脱自在に装着されている。
【００１４】
各挿入口１６，１７の開口端縁外周にはそれぞれ周回溝２６，２７が形成され、この各周回溝２６，２７を利用して、鉗子栓２５の後述する２つの鉗子栓部２８，２９がそれぞれ係止される。そして、鉗子栓部２８，２９はそれに対応する挿入口１６，１７の外端の取付け端縁部１６ａ，１７ａに対して着脱自在に装着されるようになっている。
【００１５】
つまり、鉗子栓２５には第１の鉗子チャンネル１１の挿入口１６に被嵌する第１の鉗子栓部２８と、第２の鉗子チャンネル１２の第２の挿入口１７に被嵌する第２の鉗子栓部２９を有し、これら第１の鉗子栓部２８と第２の鉗子栓部２９は連結部３０を介して連結することにより一体に作られている。
【００１６】
第１の鉗子栓部２８と第２の鉗子栓部２９はいずれも筒状に形成されており、第１の鉗子栓部２８の外端部位には第１の弁体３１が形成され、第２の鉗子栓部２９の外端部位には第２の弁体３２が形成されている。第１の弁体３１と第２の鉗子栓部２９はこれらを通じて挿入する処置具のシースの外周を密に通せる大きさの孔に形成されている。
【００１７】
さらに、鉗子栓２５には第１の鉗子栓部２８の外端に密に被嵌する第１の鉗子栓キャップ部３６と、第２の鉗子栓部２９の外端に密に被嵌する第２の鉗子栓キャップ部３７が設けられている。第１の鉗子栓キャップ部３６には処置具のシースを密に挿通できる第１のスリット３８が形成され、第２の鉗子栓キャップ部３７には同じく処置具のシースを密に挿通できる第２のスリット３９が形成されている。そして、第１のスリット３８と第２のスリット３９は細い処置具を用いるときに使い、第１の弁体３１と第２の弁体３２は比較的太い処置具を用いるときに用いる。また、第１の弁体３１と第２の弁体３２を使用する場合には比較的太い処置具を通すため、第１の鉗子栓キャップ部３５や第２の鉗子栓キャップ部３６を外して使用しても逆止機能を持たせることができる。
【００１８】
このように第１の鉗子栓部２８は内視鏡使用時において第１の鉗子チャンネル１１からの空気や体液や汚物等の逆流を防止する逆止弁を兼ねるものであり、同じく第２の鉗子栓部２９は第２の鉗子チャンネル１２からの汚物等の逆流を防止する逆止弁を兼ねるものである。
【００１９】
また、各鉗子栓キャップ部３６，３７はそれぞれ接続片４１，４２を介して対応する鉗子栓部２８，２９の部分に接続され、鉗子栓２５として一体に作られている。
【００２０】
さらに、鉗子栓２５において、第１の鉗子栓部２８と第２の鉗子栓部２９の内部はその両鉗子栓部２８，２９を連結する連結部３０内に形成した孔より成る連通路４５によって連通されている。そうすることにより第１の鉗子チャンネル１１と第２の鉗子チャンネル１２が連通するようになっている。
【００２１】
（作用）
第１の鉗子チャンネル１１と第２の鉗子チャンネル１２には鉗子栓２５の鉗子栓部２８，２９を通じて必要とする処置具を挿入して使用することができる。また、第１の鉗子チャンネル１１と第２の鉗子チャンネル１２が連通路４５を通じて連通しているために、第２の鉗子チャンネル１２の上流側に設けられた吸引源２１により吸引作用を加えれば、第２の鉗子チャンネル１２のみならず、第１の鉗子チャンネル１１にも吸引作用を加えることができ、両方の鉗子チャンネル１１，１２を用いて大量の吸引を行うことができる。吸引釦２４によりその吸引制御弁２３を操作し、吸引用チューブ１８の開通、遮断して吸引の動作と休止を選択する。
【００２２】
使用により鉗子栓２５の部分も汚れるが、鉗子栓２５を取り外して、この鉗子栓２５や鉗子チャンネル１１，１２の洗滌を行う。鉗子チャンネル１１，１２側の部分には連通路等を設けていないので、それの洗滌が容易であり、もちろん、鉗子栓２５についても取り外せるので、その鉗子栓２５の洗滌も容易である。また、鉗子栓２５については洗滌をすることなく廃棄し、新しい鉗子栓２５と交換するようにしてもよい。
【００２３】
（効果）
第１の鉗子チャンネル１１と第２の鉗子チャンネル１２を連通する連通路４５を内視鏡本体とは別体の鉗子栓２５の中に設けることができるので、その内視鏡本体がシンプルに構成することができる。また、鉗子栓２５そのものが一般的にはゴム部材で作ることがきるので、安価に作れ、経済的である。内視鏡本体側の洗滌性が向上し、さらに鉗子栓２５が汚れたときはこれを簡単に取り替えることができるため、清潔で感染等による不慮の事故も未然に防ぐことができる。
【００２４】
［第２の実施形態］
図２を参照して、本発明の第２の実施形態に係る内視鏡を説明する。
（構成）
この第２の実施形態は前述した第１の実施形態に係る内視鏡１を使用してポリープを回収する際、ポリープ回収具５０を用いる例である。このポリープ回収具５０は鉗子栓２５における少なくとも一方の鉗子栓部２８，２９に接続して使用されるものであり、次のような構成になっている。
【００２５】
ポリープ回収具５０はポリープ回収室５１を有したポリープ回収具本体５２を備えて成る。ポリープ回収具本体５２の先端側には比較的細い筒状の鉗子栓取付け部５３が接続され、この鉗子栓取付け部５３は前述した内視鏡１の鉗子栓２５における鉗子栓部２８または２９に差し込まれるようになっている。ポリープ回収具本体５２の基端側には仕切り壁５４を介して吸引チューブ取付け部５５が接続されている。仕切り壁５４はポリープ回収室５１を吸引チューブ取付け部５５側から仕切る。また、仕切り壁５４にはポリープ回収室５１を吸引チューブ取付け部５５に連通する複数の通気用孔５６が形成されている。吸引チューブ取付け部５５には吸引チューブ５７が接続され、この吸引チューブ５７には吸引源５８に接続されている。そして、吸引チューブ５７を通じて吸引源５８によりポリープ回収具５０のポリープ回収室５１を吸引するようになっている。また、ポリープ回収具本体５２の後端外周には切込み５９が形成されており、その切込み５９に沿ってポリープ回収具本体５２を切り、仕切り壁５４を含む吸引チューブ取付け部５５側部分を切り離せるようになっている。
【００２６】
（作用）
内視鏡１を使用して生体組織、例えばポリープ６０を回収する際にはそのポリープ回収具５０の鉗子栓取付け部５３を、鉗子栓２５の一方の鉗子栓部２８または２９に差し込み、スリット３８，３９及び弁体３１，３２にわたり貫通させることにより、対応した鉗子チャンネル１１，１２に連通させる。そして、吸引源５８により吸引を加えることによりその鉗子チャンネル１１，１２を通じて採取したポリープ６０を吸引し、ポリープ回収室５１内にポリープ６０を取り込む。ポリープ回収室５１内に取り込まれたポリープ６０は仕切り壁５４により止められ、ポリープ回収室５１内に留保される。
【００２７】
この後、ポリープ回収具５０を引き抜く。採取したポリープ６０を取り出す場合には切込み５９に沿ってポリープ回収具本体５２を切断し、ポリープ回収室５１内を開き、ポリープ６０を取り出せる。ポリープ回収具本体５２をそのまま容器として使用できる。
【００２８】
（効果）
このポリープ回収具５０を用いれば、内視鏡１の挿入口１６，１７のところで、ポリープ６０を回収ができる。つまり、ユニバーサルコード４を除く、内視鏡１の挿入部３の長さの管路のみを通じてポリープ６０を回収するため、ポリープ６０の回収が確実に行える。
また、ポリープ６０の回収が確実なため、採取箇所と、回収したポリープ６０との対応が確実にできる。
さらに、ポリープ６０が通過する経路の長さが減る（ユニバーサルコード４内を通らない）ので、回収するポリープ６０の座滅が減る。
【００２９】
［第３の実施形態］
図３及び図４を参照して、本発明の第３の実施形態に係る内視鏡を説明する。
（構成）
この第３の実施形態は鉗子栓２５の他の変形例である。ここでの鉗子栓２５は第１の鉗子チャンネル１１の挿入口１６に被嵌する第１の鉗子栓部２８と、第２の鉗子チャンネル１２の第２の挿入口１７に被嵌する第２の鉗子栓部２９とが連結部３０を介して連結されるが、この連結部３０がその途中で分離可能であり、接続部６５を介して着脱自在に接続されるようになっている。接続部６５は円周状の凹凸段部が噛み合って気密的に係合する構造になっている。
【００３０】
一方、内視鏡１において第１の鉗子チャンネル１１の挿入口１６と第２の鉗子チャンネル１２の挿入口１７に近接して手元側操作部２には台部６６が設けられ、この台部６６には第１の挿入口１６の中心に直角に対面する第１の当接面６７と、第２の挿入口１７の中心に直角に対面する第２の当接面６８が形成されている。さらに、各当接面６７，６８の中央には連結部３０を接続部６５で切り離した際、その開口部６５ａ，６５ｂに嵌まり込ませる突部６７ａ，６８ａが設けられている。
【００３１】
鉗子栓２５は第１の鉗子栓２８と第２の鉗子栓２９が接続された状態で装着される図３（ａ）の状態と、連結部３０の接続部６５で第１の鉗子栓２８と第２の鉗子栓２９が切り離して装着される図３（ｂ）の状態とを選択できる。図３（ａ）の接続状態では前述した第１の実施形態や第２の実施形態の場合と同様な関係になり、前述したと同様な使用が可能である。図４はその連通状態で鉗子挿入口１６，１７に鉗子栓２５を取り付けた場合を示し、接続部６５の嵌合部は段付になっているため、確実に接続できる。
【００３２】
両鉗子栓２８，２９が連通しない図３（ｂ）の状態ではそれらの開口端がそれぞれ対応する当接面６７，６８に当ると共に、それらの開口部６５ａ，６５ｂにそれぞれ対応する突部６７ａ，６８ａが嵌合する。この結果、それらの開口部６５ａ，６５ｂは閉塞され、同時に位置決めされる。そして、図３（ｂ）の接続状態では第１の鉗子栓２８と第２の鉗子栓２９の連通が遮断され、吸引は第２の鉗子チャンネル１２を通じてのみ、行うことができる。
【００３３】
（効果）
前述した第１実施形態と同じような効果が得られ、これに加えて連結部３０を介しての、第１の鉗子栓部２８と第２の鉗子栓部２９との連通、非連通が選択的に行える、複数の鉗子チャンネル１１，１２による吸引と１つの鉗子チャンネル１２による吸引を選択的に行えるようになる。鉗子栓部２８，２９の連通、非連通の切り替えは複雑な構造を必要とせず、また、鉗子栓２５は一般的にはゴム部品で構成できるので安価である。さらに複数の鉗子栓部２８，２９が別体なので故障した場合、別々に交換できるため、安価である。
【００３４】
［第４の実施形態］
図５を参照して、本発明の第４の実施形態に係る内視鏡を説明する。
（構成）
この第４の実施形態は鉗子栓の他の変形例である。この実施形態に係る鉗子栓７０は第１の鉗子栓部７１と第２の鉗子栓部７２から成る。第１の鉗子栓部７１には第１の鉗子口部７３が設けられ、第２の鉗子栓部７２には第２の鉗子口部７４が設けられている。第１の鉗子口部７３と第２の鉗子口部７４とはチューブ状の連通部材７５により連通させられている。連通部材７５は第２の鉗子栓部７２に一体に接続されており、連通部材７５の延出先端には連結管路取付け部７６が形成されている。第１の鉗子栓部７１には連結管路取付け部７６に接続する一対の突部７７ａ，７７ｂが設けられている。第１の鉗子口部７３はその一方の突部７７ａにのみ、その第１の鉗子口部７３に連通した連通孔７８を形成してある。連通部材７５には第２の鉗子口部７４と連通する連通孔７９が形成されている。
【００３５】
そして、図５（ａ）で示す如く、連通部材７５の連結管路取付け部７６を第１の鉗子栓部７１に接続したとき、第１の鉗子口部７３と第２の鉗子口部７４とを連通する。また、図５（ｂ）で示す如く、向きを逆にして連通部材７５の連結管路取付け部７６を第１の鉗子栓部７１に接続したとき、第１の鉗子口部７３と第２の鉗子口部７４との連通を遮断する。
尚、これらの鉗子栓部７１，７２はそれぞれの部材が弾性のある材料によって一体に成形して作られている。
【００３６】
（効果）
これによれば、前述した第３の実施形態と同じような効果が得られる。
［第５の実施形態］
図６を参照して、本発明の第５の実施形態に係る内視鏡を説明する。
（構成）
この実施形態の内視鏡１は前述した第１の実施形態の場合の第１の鉗子チャンネル１１の挿入口１６と第２の鉗子チャンネル１２の第２の挿入口１７における手元操作部側端部に鉗子挿入口ユニット８０を着脱自在に装着した。この鉗子挿入口ユニット８０は第１の鉗子挿入口体８１と第２の鉗子挿入口体８２が設けられており、第１の鉗子挿入口体８１には第１の鉗子栓キャップ部３６が密に被嵌するようになっており、同じく第２の鉗子挿入口体８２には第２の鉗子栓キャップ部３７が密に被嵌するようになっている。そして、鉗子挿入口ユニット８０は鉗子栓本体を構成するものであり、鉗子挿入口体８１，８２から着脱自在に設けられる鉗子栓の一部を構成している。
【００３７】
第１の鉗子挿入口体８１と第２の鉗子挿入口体８２は第１の連通孔８３ａにより連通させられている。第２の鉗子挿入口体８２には切換機構を構成する切換え部材８４が嵌め込まれて回動自在に設けられている。切換え部材８４には第２の連通孔８３ｂが形成されている。そして、切換え部材８４をレバー８５により回転させることにより各連通孔８３ａ，８３ｂの位置合わせを行うと、第１の鉗子挿入口体８１と第２の鉗子挿入口体８２とを連通し、各連通孔８３ａ，８３ｂの位置をずらせば非連通になり、連通と非連通を切り替えることができるようになっている。第１の鉗子挿入口体８１には第１の鉗子栓キャップ部３６が密に被嵌するようになっており、同じく第２の鉗子挿入口体８２には第２の鉗子栓キャップ部３７が密に被嵌するようになっている。その他は前述した第１の実施形態のものと同様である。
【００３８】
（効果）
この実施形態によれば、洗浄性に手間のかかる連通孔８３ａ，８３ｂを含む部材を鉗子挿入口ユニット８０ごとはずして交換できるので清潔である。また、鉗子挿入口ユニット８０をはずした後の内視鏡本体はシンプルな管路となるので、洗浄性が向上し、患者間の感染のない清潔な内視鏡検査ができる。
【００３９】
［第６の実施形態］
図７及び図８を参照して、本発明の第６の実施形態に係る内視鏡を説明する。
（構成）
この実施形態は第１の実施形態での鉗子栓２５における第１の鉗子栓部２８の開口部に別の連通用栓９０を装着するようにしたものである。連通用栓９０は略筒状部材から成り、その外周には第１の鉗子栓部２８の開口部内周に形成した周回溝９１に嵌合する突部９２が形成されている。そして、連通用栓９０は第１の鉗子栓部２８の開口部に着脱自在に嵌合して装着されるようになっている。連通用栓９０の内孔部分には第１の実施形態での弁体に相当する第１の弁体９３が形成されている。さらに連通用栓９０の開口外端部内には第１の実施形態でのものと同じく第１の鉗子栓キャップ部３６が着脱自在に嵌め込める構造になっている。また、図８で示す如く、第１の鉗子栓部２８、第２の鉗子栓部２９、第１の鉗子栓キャップ部３６、第２の鉗子栓キャップ部３７、及び連通用栓９０は連結部材９６によって連結されている。その他は第１の実施形態でのものと同様に構成されている。
【００４０】
（作用）
そこで、図７で示す如く、鉗子栓２５における第１の鉗子栓部２８に連通用栓９０を装着した場合にはその連通用栓９０が連通路４５を塞ぎ、第１の鉗子栓部２８と第２の鉗子栓部２９の連通を遮断する。連通用栓９０を装着しない場合には連通路４５を塞がないので、第１の鉗子栓部２８と第２の鉗子栓部２９は連通する。第１の鉗子栓部２８に連通用栓９０の代わりに第１鉗子栓キャップ部３６を装着することができる。また、第１鉗子栓キャップ部３６は第１の鉗子栓部２８にも連通用栓９０にも直接に取り付けることができる。
【００４１】
＜効果＞
この実施形態によれば連通用栓９０を選択的に着脱することで、複数の鉗子チャンネル１１，１２を連通、非連通させることができるため、構造が簡単であり、操作性がよい。また、鉗子栓すべての部分の構造を一体のゴム部材でできるため、取り扱いやすく、かつ安価である。
【００４２】
＜付記＞
１．挿入部先端に形成された開口部を有した少なくとも２つ以上のチャンネルと、手元側操作部に設けられ、前記チャンネルにそれぞれ連結された少なくとも２つ以上の挿入口と、前記挿入口に着脱自在に設けられた鉗子栓と、前記鉗子栓に形成され、前記チャンネルを連通する連通路とを具備したことを特徴とする内視鏡。
【００４３】
２．挿入部先端に開口部を有したチャンネルと、手元側操作部に設けられ、前記チャンネルに連結された挿入口と、前記挿入口に着脱自在に設けた鉗子栓を有した内視鏡において、前記鉗子栓に着脱自在で、他端が吸引源に接続できるポリープ回収具を設けたことを特徴とする内視鏡。
従来は、内視鏡のユニバーサルコードにおけるコネクタ部に接続する吸引チューブと、そのチューブ取付け部との間にポリープ回収具を介在させ、ポリープの回収を行っていたので、回収されるポリープは内視鏡の挿入部・操作部・ユニバーサルコード・コネクタの全長にわたる長い吸引管路を通る必要があり、回収するポリープの座滅が大きい。また、複数の接続部を通るため、ポリープの回収が確実でなく、また、複数のポリープを回収した場合、その識別ができにくくなるという使いにくさがあった。前記ポリープ回収具を用いれば、それらの課題を解決できる。
【００４４】
３．挿入部先端に形成された開口部を有した少なくとも２つ以上のチャンネルと、手元側操作部に設けられ、前記チャンネルにそれぞれ連結された少なくとも２つ以上の挿入口と、前記挿入口に着脱自在に設けられた鉗子栓とを具備し、前記鉗子栓がそれぞれの鉗子挿入口用部分に分割されており、前記鉗子挿入口が連通・非連通に選択できるように着脱できるようにしたことを特徴とする内視鏡。
【００４５】
従来は連通口を切り替える機構が内視鏡本体に設けられているため、構造が複雑で、洗浄・消毒に手間がかかり、また高価であったが、これによればその課題を解決できる。
【００４６】
４．挿入部先端に形成された開口部を有した少なくとも２つ以上のチャンネルと、手元側操作部に設けられ、前記チャンネルにそれぞれ連結された少なくとも２つ以上の挿入口と、この挿入口に着脱自在に設けられた鉗子挿入口ユニットを有した内視鏡において、前記挿入口ユニットに前記チャンネルの管路を連通させる連通孔を設けたことを特徴とする内視鏡。
【００４７】
【発明の効果】
以上説明したように本発明によれば、内視鏡本体内に設ける複数のチャンネルの管路構造をシンプルにすると共に、複数のチャンネルを連結する接続手段を着脱自在な鉗子栓に設けることによりそれが汚れたときには鉗子栓を交換し、それらを容易に洗滌や消毒することができ、さらに内視鏡本体自体を安価なものとすることができる。
【図面の簡単な説明】
【図１】第１の実施形態に係る内視鏡の構成説明図。
【図２】第２の実施形態に係る内視鏡に用いるポリープ回収具の説明図。
【図３】第３の実施形態に係る内視鏡の鉗子栓の説明図。
【図４】同じく第３の実施形態に係る内視鏡の鉗子栓部分の断面図。
【図５】第４の実施形態に係る内視鏡の鉗子栓の説明図。
【図６】第５の実施形態に係る内視鏡の説明図。
【図７】第６の実施形態に係る内視鏡の鉗子栓部分の断面図。
【図８】同じく第６の実施形態に係る内視鏡の鉗子栓の展開図。
【符号の説明】
１…内視鏡、２…手元側操作部、３…挿入部、４…ユニバーサルコード、
１１，１２…鉗子チャンネル、１３，１４…開口部、１６，１７…挿入口、
１８…吸引用チューブ、２５…鉗子栓、２８，２９…鉗子栓部、３０…連結部、４５…連通路。
【図１】
0003893183.tif 000002
【図２】
0003893183.tif 000003
【図３】
0003893183.tif 000004
【図４】
0003893183.tif 000005
【図５】
0003893183.tif 000006
【図６】
0003893183.tif 000007
【図７】
0003893183.tif 000008
【図８】
0003893183.tif 000009